(57)【要約】【課題】仮にケースとシールカバーの隙間からシールカバー内に水が浸入しても、シールカバーの外に排出することを目的とする。【解決手段】電機機器のケース９０に設けられた作業用の開口部９１を覆うためのシールカバー１０であって、ケース９０の開口部９１を覆い、ケース９０の表面に取り付けられるカバー本体６０と、開口部９１に嵌合可能で、かつ開口部９１の内周面に水密可能に密着するシール部材２７を外周面に装着したシール部材保持部材２０とを備えており、カバー本体６０は、シール部材保持部材２０と対向する対向板部６１と、対向板部６１の周縁からケース９０側に突設して接触する周縁板部６３、６５、６７とからなっており、一の周縁板部６７には、前記ケース９０との間に隙間が設けられている一方、他の前記周縁板部６５には、前記ケース９０との間に水抜き孔７７が設けられている。【選択図】図８
2016178276.tif 000002
【特許請求の範囲】
【請求項１】
電機機器のケースに設けられた作業用の開口部を覆うためのシールカバーであって、
前記ケースの前記開口部を覆い、前記ケースの表面に取り付けられるカバー本体と、
前記開口部に嵌合可能で、かつ該開口部の内周面に水密可能に密着するシール部材を外周面に装着したシール部材保持部材とを備えており、
前記カバー本体は、前記シール部材保持部材と対向する対向板部と、該対向板部の周縁から前記ケース側に突設して接触する周縁板部とからなっており、
一の前記周縁板部には、前記ケースとの間に隙間が設けられている一方、他の前記周縁板部には、前記ケースとの間に水抜き孔が設けられている電気機器のシールカバー。
【請求項２】
前記シールカバーは、前記ケースの側面に取り付けられており、
前記ケースとの間に隙間が設けられている前記周縁板部は、上方に配されている一方、前記水抜き孔が設けられている前記周縁板部は、下方に配されている請求項１に記載の電気機器のシールカバー。
【発明の詳細な説明】
【技術分野】
【０００１】
本明細書に開示される技術は、電気機器に設けられた作業用の開口部を覆うために着脱可能に装着されるシールカバーに関する。
【背景技術】
【０００２】
例えば、自動車等において搭載される電気機器には、そのケース内部に外部との接続を行うためのコネクタや端子台などが設けられている。そして、外部との接続作業を行うために、電気機器のケースには開口部が設けられている。そして、接続作業を行わないときにはこの開口部に、サービスカバーと称するシールカバーが被着されるようになっている。このような電気機器のシールカバーの一例として、特開２０１２−２３６４５０号公報（下記特許文献１）に記載されたものが知られている。このシールカバーは、開口部を覆うことが可能なカバー本体と、カバー本体の裏面に開口部内に嵌合されるシール部材保持部材とを備えており、シール部材保持部材の外周面にシール部材が装着される。そして、このシールカバーを開口部に被せて係止すると、シール部材保持部材の外周面のシール部材が開口部の内周面に密着してシールされ、開口部からの水の浸入や異物の混入等を防止できるようになっている。
【０００３】
このようなシールカバーにおいて、シール部材保持部材側に設けられたナットに対してカバー本体をネジ止めすることで、シール部材保持部材とカバー本体とが保持されている。このネジ止めをする際に、シール部材保持部材から突設したピンがカバー本体に設けられた規制孔に挿通するようにすることで、ネジ止めをする際にシール部材保持部材の回り止めが図られる。
【先行技術文献】
【特許文献】
【０００４】
【特許文献１】特開２０１２−２３６４５０号公報
【発明の概要】
【発明が解決しようとする課題】
【０００５】
しかしながら、特開２０１２−２３６４５０号公報（上記特許文献１）のようなシールカバーにおいては、ピンを挿通可能な規制孔等のカバー本体の孔部やカバー本体とケースの隙間から水が浸入する虞がある。そして、浸入した水がカバーとケースの間に滞留すると、腐食する虞がある。
【課題を解決するための手段】
【０００６】
本明細書で開示される電気機器のシールカバーは、電機機器のケースに設けられた作業用の開口部を覆うためのシールカバーであって、前記ケースの前記開口部を覆い、前記ケースの表面に取り付けられるカバー本体と、前記開口部に嵌合可能で、かつ該開口部の内周面に水密可能に密着するシール部材を外周面に装着したシール部材保持部材とを備えており、前記カバー本体は、前記シール部材保持部材と対向する対向板部と、該対向板部の周縁から前記ケース側に突設して接触する周縁板部とからなっており、一の前記周縁板部には、前記ケースとの間に隙間が設けられている一方、他の前記周縁板部には、前記ケースとの間に水抜き孔が設けられている。
【０００７】
このような構成によると、カバー本体の周縁板部とケースとの間の隙間から浸入した水が、他の周縁板部とケースの間に設けられた水抜き孔から排出されることになり、シールカバー内に滞留することがなくなる。
【０００８】
本明細書に開示される電気機器のシールカバーの実施の態様として、以下の構成としてもよい。
前記シールカバーは、前記ケースの側面に取り付けられており、前記ケースとの間に隙間が設けられている前記周縁板部は、上方に配されている一方、前記切欠き部が設けられている前記周縁板部は、下方に配されている構成としても良い。
このような構成によると、隙間が上方に配されているために、水が浸入しやすくなっているが、下方に設けられた水抜き孔から排出できるために、より確実に排出することができる。
【発明の効果】
【０００９】
本明細書に開示された電気機器のシールカバーによれば、仮にケースとシールカバーの隙間から水がシールカバー内に浸入しても、シールカバー外に排出することができる。
【図面の簡単な説明】
【００１０】
【図１】実施形態に係る電気機器のシールカバーの斜視図
【図２】同正面図
【図３】同平面図
【図４】同背面図
【図５】同底面図
【図６】同側面図
【図７】図２におけるＶＩＩ−ＶＩＩ線での断面図
【図８】図７と同じ位置における電気機器に取り付けられた状態での断面図
【発明を実施するための形態】
【００１１】
＜実施形態１＞
実施形態１について図１から図８を参照して説明する。
本実施形態のシールカバー１０は、車両に搭載されたモータやインバータなどの電気機器のシールドケースに取り付けられたコネクタ９０（「ケース」の一例）の作業用の開口部９１を閉止するものである。本実施形態では、図２及び図７における上方を上方とし、図２及び図７における下方を下方として説明する。また、コネクタ９０の開口方向（コネクタ９０からシールカバー１０が離脱する方向）を前方とし、シールカバー１０がコネクタ９０と嵌合する方向を後方とする。
【００１２】
コネクタ９０は、図８に示すように、シールドケースに設けられた図示しない端子台に接続されており、コネクタ９０のブラケット９３は、シールドケースに固定されて一体化されている。また、コネクタ９０に保持された端子９５は、端子台から突出するスタッドボルトに固定可能となっている。端子９５を端子台と接続する際には、開口部９１が前方（シールドケースの側方）に開口した状態で作業が行われる。そして、接続作業が行われないときには、この開口部９１はシールカバー１０によって閉止される。
【００１３】
シールカバー１０は、図６及び図７に示すように、シール部材保持部材２０と、インターロックコネクタ４０と、カバー本体６０とを備えて構成されている。
シール部材保持部材２０は、図４及び図８に示すように、合成樹脂製であって、開口部９１内に嵌合可能なように横長な形状の嵌合部２１と、嵌合部２１の前方に位置しカバー本体６０に固定される固定部２３とを有している。シール部材保持部材２０の嵌合部２１における外周面には、シール装着溝２５が全周に亘って形成されている。シール装着溝２５には、長円形の環形をなすシール部材２７が嵌着されている。シール部材２７の外径寸法は、開口部９１の内径寸法よりも少し大きく設定されている。また、シール装着溝２５の前方には、フランジ部２９が設けられている。フランジ部２９は、コネクタ９０の開口部９１の前端縁部に当接する。
【００１４】
固定部２３は、図１及び図７に示すように、カバー本体６０の後面に当接する周縁壁部３１と、嵌合部２１の略中心位置から前方に向かって突出するボス部３３と、ボス部３３の周縁に突設する位置決めピン３５とを有している。周縁壁部３１は、ボス部３３等を囲うように嵌合部２１の前面から前方に向かって突設している。周縁壁部３１は固定部２３の周縁部のほぼ全周に亘って連続して設けられている。
【００１５】
ボス部３３は、図７に示すように、嵌合部２１の前面の略中心位置に設けられており、略円柱状をなしている。ボス部３３の突出端面には、後記するタップネジ８０に雌ネジが切り込まれる下穴３３Ａが設けられている。また、ボス部３３の周縁部には、図１に示すように、位置決めピン３５が設けられている。位置決めピン３５は、ボス部３３より外径の小さい円柱状をなしている。そして、周縁壁部３１やボス部３３よりもその高さ寸法が大きくなっている。
【００１６】
そして、ボス部３３の下穴３３Ａには、図１及び図７に示すように、タップネジ８０がネジ止めされる。タップネジ８０は、略円形状の頭部８１と、頭部８１が拡径したリング部８３と、下穴３３Ａにネジを切り込み可能なネジ部８５とを備えている。リング部８３の外径は、後記するカバー本体６０の挿通孔７３の径よりも大きな寸法とされており、リング部８３がボス部３３の上端面に当接しつつ挿通孔７３の孔縁部に係止して抜け止めする。
【００１７】
また、シール部材保持部材２０には、図３及び図４に示すように、インターロック機構を構成するインターロックコネクタ４０が、シール部材保持部材２０に対して相対的に移動可能な形態で取り付けられている。インターロックコネクタ４０は、合成樹脂製のハウジング４１内に、ショート端子４３が収容されている。
【００１８】
カバー本体６０は、図１及び図２に示すように、鋼板等の金属板をプレス加工することで形成され、全体としては、開口部９１を覆うことが可能な略矩形状をなす伏浅皿形状をしている。より具体的には、カバー本体６０は、シール部材保持部材２０の周縁壁部３１と当接し開口部９１の正面（前方）を覆う正面板部６１（「対向板部」の一例）と、その長手方向の側面に位置する側面板部６３と、下側の側面に位置する下板部６５と、上側の側面に位置する上板部６７とを有している。なお、正面板部６１から連続して形成され側面板部６３と下板部６５と上板部６７とが一体となって周縁板部の一例となっている。
【００１９】
正面板部６１は、全体として略矩形状をなしている。そして、その下側と側面側が下板部６５及び側面板部６３に連なるように傾斜したテーパー部６１Ａとなっている。また、正面板部６１のカバー本体６０の略中央部分には、図１及び図７に示すように、後方側に凹んでいる略円形状の凹部７１が設けられている。凹部７１は、タップネジ８０の外径よりも大きな外径を有している。
【００２０】
凹部７１の中心には、ボス部３３を挿通可能な略円形状の挿通孔７３が設けられている。挿通孔７３は、正面板部６１の板厚方向に貫通しており、ボス部３３の前端部に対して所定のクリアランスＣ１を有している。なお、挿通孔７３にボス部３３を挿通させた状態では、ボス部３３が凹部７１の表面から若干突出するように、凹部７１が凹んでいる。また、凹部７１の周縁部には、位置決めピン３５を挿通可能なピン挿通孔７５が設けられている。ピン挿通孔７５は、略円形状をなし、位置決めピン３５の外径に対してクリアランスＣ２を有する内径とされている。
【００２１】
側面板部６３は、図１及び図６に示すように、正面板部６１のテーパー部６１Ａから連なっており、側面板部６３の後端がコネクタ９０の前面と接触するようになっている。また、側面板部６３の下側の端部から取付板部６９が側方に向かって張出形成され、それぞれブラケット９３等に固定するためのボルトを挿通可能なボルト挿通孔６９Ａが開口されている。なお、コネクタ９０の上側が前方に突出しているため、その形状に合わせて、側面板部６３はその上側の略半分の領域が切り欠かれている。
【００２２】
下板部６５は、図１及び図３に示すように、正面板部６１のテーパー部６１Ａから連なっており、下板部６５の後端がコネクタ９０の前面と接触するようになっている。また、下板部６５の長手方向の両端部は、側面板部６３と連なっている。下板部６５の略中央付近には、その後端部が円弧状をえがくことで、コネクタ９０との間に隙間が形成される水抜き孔７７が設けられている。水抜き孔７７の中央部分（最もコネクタ９０との間の隙間が大きい部分）では、下板部６５の高さ寸法（前後方向の寸法）の略３分の１程度の切欠き高さとなっている。
【００２３】
上板部６７は、図５及び図８に示すように、正面板部６１の端部が略垂直に折れ曲がるようにして連なっている。上板部６７は、側面板部６３との間に若干の隙間を有している。また、コネクタ９０の形状に合わせて、上板部６７の後端位置は下板部６５の後端位置よりもかなり前方になっており、上板部６７の後端とコネクタ９０の前面との間に若干隙間が設けられている。上板部６７の略中央位置には、矩形状の切欠き部７９が設けられている。この切欠き部７９は、コネクタ９０のボルトを避けるために設けられている。
【００２４】
本実施形態のシールカバー１０は上記のような構造であって、例えば以下のような手順で組み付けられる。まずシール部材保持部材２０のシール装着溝２５に対してシール部材２７が嵌着される。次に、シール部材保持部材２０の位置決めピン３５をピン挿通孔７５に、ボス部３３を挿通孔７３に挿通しつつカバー本体６０の後面にシール部材保持部材２０を配する。
【００２５】
そして、タップネジ８０をボス部３３の下穴３３Ａに嵌め込んで締付ける。なお、タップネジ８０がねじ込まれるボス部３３が挿通する挿通孔７３の周縁部である凹部７１は後側に凹んでおり、その凹部７１の高さに合わせてボス部３３の突出高さも低く抑えられているため、タップネジ８０のねじ込み後の突出寸法を小さくすることができる。
【００２６】
また、ボス部３３の前端位置がカバー本体６０の凹部７１の前面位置よりも高くなっていることから、タップネジ８０のねじ込みが完了した時点では、図７に示すように、リング部８３がボス部３３の前面に固定される一方で、リング部８３とカバー本体６０の凹部７１との間にはボス部３３の軸線方向（前後方向）の隙間ができる。そのため、シール部材保持部材２０は、リング部８３が挿通孔７３の孔縁部に当たることでカバー本体６０の裏面から落下することが阻止される一方で、カバー本体６０の後面側においてボス部３３の軸線方向に沿って移動可能に取り付けられた状態となる。また、ボス部３３と挿通孔７３との間、並びに位置決めピン３５とピン挿通孔７５との間にはクリアランスＣ１，Ｃ２が設けられていることで、シール部材保持部材２０は全方位において移動可能な状態で保持されることになる。
【００２７】
このようにシールカバー１０が組み付けられ後、図８に示すように、シールカバー１０は、機器のケースの側面に設けられたコネクタ９０の開口部９１に被着される。シールカバー１０を所定位置に配して、カバー本体６０をコネクタ９０側に向けて押圧すると、シール部材保持部材２０は、シール部材２５を周方向に潰し変形させつつ、開口部９１内に押し込まれる。この際、シール部材保持部材２０は全方位に移動可能な状態で保持されているから、開口部９１との間で芯出しされつつ嵌合される。嵌合によってシール部材２５が押し潰されることで、シール部材保持部材２０と開口部９１との間が水密状態にされ、コネクタ９０内に水が浸入するのを抑制する。
【００２８】
そして、カバー本体６０の両端の取付板部６９のボルト挿通孔６９Ａにボルトを通して、コネクタ９０のブラケット９３のボルト孔にねじ込むことで、シールカバー１０がブラケット９３と一緒に機器のケースの側面に固定される。このように固定されると、シールド性能を向上させるために、側面板部６３の直線状の後端と下板部６５の直線状の後端がコネクタ９０の前面と当接する一方、水抜き孔７７の部分は、カバー本体６０とコネクタ９０との間に隙間ができる。また、上板部６７とコネクタ９０との間には、切欠き部７９やコネクタ９０の曲げ等を回避するための隙間が設けられている。
【００２９】
このようにシールカバー１０がコネクタ９０の開口部９１に被着された状態で水がシールカバー１０上にかかると、上板部６７とコネクタ９０との間の隙間や、切欠き部７９から水が浸入する。図８の矢印Ｒで示すように、上方から浸入した水はシールカバー保持部材２０の周縁壁部３１の外周面をつたって、下板部６５とコネクタ９０との間に溜まる。この溜まった水は、下板部６５の略中央付近にある水抜き孔７７から排出される。
【００３０】
このように、仮に上板部６７とコネクタ９０との間の隙間や、切欠き部７９から水が浸入しても、下板部６５とコネクタ９０の間に設けられた水抜き孔７７から排出されることになり、シールカバー１０内に滞留することがなくなる。
【００３１】
＜他の実施形態＞
本明細書で開示される技術は上記記述及び図面によって説明した実施形態に限定されるものではなく、例えば次のような実施形態も技術的範囲に含まれる。
（１）上記実施形態では、切欠き部７９が設けられていたが、なくても良い。
【００３２】
（２）上記実施形態では、タップネジ８０では、リング部８３が頭部８１と一体に設けられていたが、通常のタップネジにワッシャーを挿通してネジ止めしても良い。
【００３３】
（３）上記実施形態では、コネクタ９０の開口部９１をシールカバー１０が覆うようになっていたが、コネクタではなくケースに設けられた開口部を直接覆うようにしても良い。
【００３４】
（４）上記実施形態では、インターロックコネクタ４０が設けられていたが、設けられていなくても良い。
【符号の説明】
【００３５】
１０…シールカバー
２０…シール部材保持部材
２１…嵌合部
２３…固定部
３１…周縁壁部
３３…ボス部
３５…位置決めピン
３７…排出部
６０…カバー本体
６１…正面板部（対向板部）
６３…側面板部（周縁板部）
６５…下板部（他の周縁板部）
６７…上板部（一の周縁板部）
７１…凹部
７３…挿通孔
７５…ピン挿通孔
７７…水抜き孔
７９…切欠き部
８０…タップネジ
９０…コネクタ（ケース）
９１…開口部
【図１】
2016178276.tif 000003
【図２】
2016178276.tif 000004
【図３】
2016178276.tif 000005
【図４】
2016178276.tif 000006
【図５】
2016178276.tif 000007
【図６】
2016178276.tif 000008
【図７】
2016178276.tif 000009
【図８】
2016178276.tif 000010